(57)【要約】【課題】スマートフォンを片手で操作した場合にも、スマートフォンが落下することを確実に防止することができるスマートフォンカバーを提供する。【解決手段】スマートフォンＳに外嵌状に取着されるスマートフォンカバーに於て、手Ｈの指Ｆを差込む弾性リング部３を先端に有すると共に、カバー本体１から延伸状に設けられた落下防止紐状体２を具備する。カバー本体１が、抗菌剤を含有し、かつ、紐状体２が、血液循環促進剤を含有している。抗菌剤として、銀イオンパウダーを含有し、かつ、血液循環促進剤として、ゲルマニウムを含有している。【選択図】図１
2016051967.tif 000002
【特許請求の範囲】
【請求項１】
スマートフォン（Ｓ）に外嵌状に取着されるスマートフォンカバーに於て、
手（Ｈ）の指（Ｆ）を差込む弾性リング部（３）を先端に有すると共に、カバー本体（１）から延伸状に設けられた落下防止紐状体（２）を具備したことを特徴とするスマートフォンカバー。
【請求項２】
上記カバー本体（１）が、抗菌剤を含有し、かつ、上記紐状体（２）が、血液循環促進剤を含有している請求項１記載のスマートフォンカバー。
【請求項３】
上記抗菌剤として、銀イオンパウダーを含有し、かつ、上記血液循環促進剤として、ゲルマニウムを含有している請求項２記載のスマートフォンカバー。
【請求項４】
上記落下防止紐状体（２）の上記弾性リング部（３）は、指（Ｆ）の太さに対応してリング内周寸法（Ｌ）を調整自在とした請求項１記載のスマートフォンカバー。
【請求項５】
上記カバー本体（１）と上記紐状体（２）とを、一体もので形成した請求項１，２，３又は４記載のスマートフォンカバー。
【請求項６】
上記紐状体（２）は上記カバー本体（１）の下辺部位（４）又は左右側辺下端部（７）に付設されると共に、上記弾性リング部（３）に親指（Ｆ1 ）を差込むように構成した請求項１，２，３，４又は５記載のスマートフォンカバー。
【発明の詳細な説明】
【技術分野】
【０００１】
本発明は、スマートフォンカバーに関する。
【背景技術】
【０００２】
一般に、スマートフォンの外観を良くしたり、傷がつくのを防止する等の目的で、スマートフォンにスマートフォンカバーを外嵌状に取着する（例えば、特許文献１参照）。
【０００３】
しかし、スマートフォンを片手で操作した場合、落下させる虞れがあった。例えば、歩きながらスマートフォンを操作していて障害物にぶつかりそうになり避けた際、スマートフォンを落下させる虞れがあった。また、電車で吊り皮につかまってスマートフォンを片手で操作している場合などに、電車が急に揺れると、スマートフォンを落下させる虞れがあった。
【先行技術文献】
【特許文献】
【０００４】
【特許文献１】実用新案登録第３１９０６２４号公報
【発明の概要】
【発明が解決しようとする課題】
【０００５】
解決しようとする課題は、片手でスマートフォンを操作した際、スマートフォンを落下させる虞れがある点である。
【課題を解決するための手段】
【０００６】
そこで、本発明に係るスマートフォンカバーは、スマートフォンに外嵌状に取着されるスマートフォンカバーに於て、手の指を差込む弾性リング部を先端に有すると共に、カバー本体から延伸状に設けられた落下防止紐状体を具備したものである。
また、上記カバー本体が、抗菌剤を含有し、かつ、上記紐状体が、血液循環促進剤を含有しているものである。
また、上記抗菌剤として、銀イオンパウダーを含有し、かつ、上記血液循環促進剤として、ゲルマニウムを含有しているものである。
【０００７】
また、上記落下防止紐状体の上記弾性リング部は、指の太さに対応してリング内周寸法を調整自在としたものである。
また、上記カバー本体と上記紐状体とを、一体もので形成したものである。
また、上記紐状体は上記カバー本体の下辺部位又は左右側辺下端部に付設されると共に、上記弾性リング部に親指を差込むように構成したものである。
【発明の効果】
【０００８】
本発明のスマートフォンカバーによれば、スマートフォンを片手で操作した場合にも、スマートフォンが落下することを確実に防止することができる。例えば、歩きながら片手でスマートフォンを操作していても、スマートフォンを落下させることがなく、交通事故を防止することができる。また、電車の中で立った姿勢で片手でスマートフォンを操作していても、スマートフォンを落下させることがなく、転倒等による怪我を防止することができる。
【図面の簡単な説明】
【０００９】
【図１】本発明の第１の実施の形態の使用状態を示す正面図である。
【図２】斜視図である。
【図３】細い指を差込む場合の説明図であって、図３（Ａ）は指を差込む前の状態を示す説明図、図３（Ｂ）は指を差込んだ状態を示す説明図である。
【図４】太い指を差込む場合の説明図であって、図４（Ａ）は指を差込む前の状態を示す説明図、図４（Ｂ）は指を差込んだ状態を示す説明図である。
【図５】第２の実施の形態を示す斜視図である。
【図６】第３の実施の形態を示す斜視図である。
【発明を実施するための形態】
【００１０】
以下、図示の実施の形態に基づいて本発明を詳説する。
図１・図２は、本発明の第１の実施の形態の使用状態を示す。このスマートフォンカバーは、例えば、カバー本体１から延伸状に（別体ものとして）設けられた落下防止紐状体２の弾性リング部３に親指Ｆ1 を差込んで、使用する。カバー本体１は、プラスチック又はゴムから成る。落下防止紐状体２は、ゴム、ゴムひも、軟質プラスチック等の伸縮素材から成る。
【００１１】
スマートフォンＳに外嵌状に取着されるスマートフォンカバーに於て、手Ｈの指Ｆを差込む弾性リング部３を先端に有すると共に、カバー本体１から延伸状に設けられた落下防止紐状体２を具備する。紐状体２はカバー本体１の下辺部位４に付設される。落下防止紐状体２の紐部９の長さ寸法Ａ（図２参照）を、３cm≦Ａ≦10cmに設定する、長さ寸法Ａが、Ａ＜３cmの場合、手Ｈの可動範囲が狭くなり、スマートフォンＳを操作しづらい。長さ寸法Ａが、10cm＜Ａの場合、紐状体２が邪魔になり、スマートフォンＳを操作しづらい虞れがある。弾性リング部３に親指Ｆ1 を差込むように（調整自在に）構成する。
【００１２】
カバー本体１が、抗菌剤を含有する。抗菌剤としては、例えば、銀イオンパウダー（株式会社シナネンゼオミック製「ゼオミックＩＭ10Ｄ−Ｌ」）を含有する。銀イオンパウダーの添加量は、例えば、プラスチック樹脂に１％乃至１％前後とする。カバー本体１が、ゲルマニウムと、酸化アルミニウムと酸化ジルコニウムとカーボンが混合された混合物と、鉱石（岩石粉）と、を含有する。具体的には、基材となるプラスチック樹脂又はゴムを90〜98重量％、ゲルマニウムを 0.1〜 0.3重量％、上記混合物を 1.0〜 1.5重量％、鉱石を 2.0〜 5.0重量％で配合する。空気清浄効果（脱臭効果、ニコチンやタールの除去、ウイルスや菌の除去効果等）や、リラックス効果、美容効果、が得られる。紐状体２が、血液循環促進剤を含有する。血液循環促進剤としては、例えば、ゲルマニウムを含有する。
【００１３】
図３・図４に示すように、落下防止紐状体２の弾性リング部３は、指Ｆの太さに対応してリング内周寸法Ｌが調整自在である。具体的には、弾性リング部３は、帯状リング体５と、帯状リング体５の中間位置にスライド自在に外嵌して上記中間位置を締付ける調整用弾性小リング体６と、によって、形成される。
【００１４】
図３（Ａ）は細い指Ｆを差込むために、調整用弾性小リング体６を図３（Ａ）の右方に比較的近く寄せた状態を示す。このとき、リング内周寸法Ｌ（Ｌ1 ）が小さい。図３（Ｂ）は、細い指Ｆを差込んだ状態を示す。図４（Ａ）は太い指Ｆを差込むために、調整用弾性小リング体６を図４（Ａ）の右方から比較的離れた位置に寄せた状態を示す。このとき、リング内周寸法Ｌ（Ｌ2 ）が大きい。図３（Ｂ）は、太い指Ｆを差込んだ状態を示す。太い指Ｆ又は細い指Ｆのいずれの場合も、弾性リング部３が指Ｆを締付けるように調整して使用するのが望ましい。
【００１５】
図５は、第２の実施の形態を示す。紐状体２はカバー本体１の左右側辺下端部７（の一方）に付設される。その他の構成は、第１の実施の形態と同様である。
【００１６】
図６は、第３の実施の形態を示す。カバー本体１と紐状体２とが、一体もので形成される。弾性リング部３が親指Ｆ1 （図１参照）を差込む寸法に（調整不可として）設定する。その他の構成は、第１の実施の形態と同様である。
【００１７】
なお、親指Ｆ1  以外の指Ｆ（例えば、人差し指Ｆ2 ）を、弾性リング部３に差込んで使用するも良い。
本発明は、設計変更可能であって、例えば、落下防止紐状体２を、カバー本体１の上辺部位８に付設するも良い。
【００１８】
以上のように、本発明は、スマートフォンＳに外嵌状に取着されるスマートフォンカバーに於て、手Ｈの指Ｆを差込む弾性リング部３を先端に有すると共に、カバー本体１から延伸状に設けられた落下防止紐状体２を具備したので、スマートフォンＳを片手で操作した場合にも、スマートフォンＳが落下することを確実に防止することができる。例えば、歩きながら片手でスマートフォンＳを操作していても、スマートフォンＳを落下させることがなく、交通事故を防止することができる。また、電車の中で立った姿勢で片手でスマートフォンＳを操作していても、スマートフォンＳを落下させることがなく、転倒等による怪我を防止することができる。また、落下防止紐状体２が所定長さを有するので、手Ｈや指Ｆの自由度が高く（可動範囲が広く）、スマートフォンＳを容易に操作することができる。
【００１９】
また、上記カバー本体１が、抗菌剤を含有し、かつ、上記紐状体２が、血液循環促進剤を含有しているので、抗菌作用を得ることができて衛生的であるとともに、血液循環が促進されて指Ｆの疲れをとることができる。
また、上記抗菌剤として、銀イオンパウダーを含有し、かつ、上記血液循環促進剤として、ゲルマニウムを含有しているので、銀イオンパウダーによって、大腸菌及び黄色ブドウ球菌等に対して抗菌効果が発揮され、毎日使用するスマートフォンＳを、衛生的に保つことができる。また、ゲルマニウムによって、血液循環が促進されて指Ｆの疲れをとることができる。
【００２０】
また、上記落下防止紐状体２の上記弾性リング部３は、指Ｆの太さに対応してリング内周寸法Ｌを調整自在としたので、弾性リング部３に所望の指Ｆを差込んで使用することができる。
また、上記カバー本体１と上記紐状体２とを、一体もので形成したので、容易に製造することができる。また、安価に製造することができる。
また、上記紐状体２は上記カバー本体１の下辺部位４又は左右側辺下端部７に付設されると共に、上記弾性リング部３に親指Ｆ1 を差込むように構成したので、使い勝手が良い。
【符号の説明】
【００２１】
１  カバー本体
２  （落下防止）紐状体
３  弾性リング部
４  下辺部位
７  左右側辺下端部
Ｆ  指
Ｆ1   親指
Ｈ  手
Ｌ  リング内周寸法
Ｓ  スマートフォン
【図１】
2016051967.tif 000003
【図２】
2016051967.tif 000004
【図３】
2016051967.tif 000005
【図４】
2016051967.tif 000006
【図５】
2016051967.tif 000007
【図６】
2016051967.tif 000008